(57)【要約】【課題】映像コンテンツに応じてユーザにとって明るく見やすい発光輝度を確保することが可能で且つ消費電力を抑えることが可能な映像表示装置を提供する。【解決手段】映像表示装置（液晶表示装置１で例示）は、画像表示制御部２０を備える。画像表示制御部２０は、番組情報取得部１９でジャンルやビットレート等の番組情報を取得し、取得した番組情報に応じて、バックライト２２の輝度制御をバックライト制御部２１に行わせる。画像表示制御部２０は、このような輝度制御と併せて、取得した番組情報に応じて、画像処理部１６に変換テーブル１６ａを変更（複数の中から選択切換）させる制御を行うことが好ましい。【選択図】図１
2008244818.tif 000002
【特許請求の範囲】
【請求項１】
発光部を備え、映像コンテンツを表示する映像表示装置において、表示対象の映像コンテンツに関するコンテンツ情報を取得するコンテンツ情報取得手段と、前記表示対象の映像コンテンツを表示する際、前記コンテンツ情報取得手段で取得したコンテンツ情報に応じて、前記発光部の輝度を制御する制御手段を備えることを特徴とする映像表示装置。
【請求項２】
前記コンテンツ情報は、ジャンル情報及び／又はビットレート情報を含むことを特徴とする請求項１に記載の映像表示装置。
【請求項３】
前記表示対象の映像コンテンツに対し変換テーブルを用いて画像処理を施す画像処理手段を備え、前記制御手段は、前記コンテンツ情報取得手段で取得したコンテンツ情報に応じて、前記画像処理手段において使用する変換テーブルを切り換える手段を有することを特徴とする請求項１又は２に記載の映像表示装置。
【請求項４】
当該映像表示装置は非自己発光型の表示パネルを備え、前記発光部は該表示パネルを照明する照明装置であることを特徴とする請求項１乃至３のいずれか１項に記載の映像表示装置。
【請求項５】
当該映像表示装置は、液晶表示装置であり、前記制御手段は、前記コンテンツ情報取得手段で取得したコンテンツ情報に応じて、液晶パネルの駆動制御を可変制御する手段を有することを特徴とする請求項４に記載の映像表示装置。
【請求項６】
外光の明るさを検出する外光センサを備え、前記制御手段は、前記コンテンツ情報取得手段で取得したコンテンツ情報と前記外光センサで検出された外光の明るさの情報とに応じた制御を行うことを特徴とする請求項１乃至５のいずれか１項に記載の映像表示装置。
【請求項７】
当該映像表示装置の電源となるバッテリと、該バッテリの残量を検出するバッテリ残量検出手段とを備え、前記制御手段は、前記コンテンツ情報取得手段で取得したコンテンツ情報と前記バッテリ残量検出手段で検出されたバッテリ残量の情報とに応じた制御を行うことを特徴とする請求項１乃至５のいずれか１項に記載の映像表示装置。
【請求項８】
外光の明るさを検出する外光センサと、当該映像表示装置の電源となるバッテリと、該バッテリの残量を検出するバッテリ残量検出手段とを備え、前記制御手段は、前記コンテンツ情報取得手段で取得したコンテンツ情報と、前記外光センサで検出された外光の明るさの情報と、前記バッテリ残量検出手段で検出されたバッテリ残量の情報とに応じた制御を行うことを特徴とする請求項１乃至５のいずれか１項に記載の映像表示装置。
【請求項９】
発光部を備え映像コンテンツを表示する映像表示装置における表示制御方法において、表示対象の映像コンテンツに関するコンテンツ情報を取得するコンテンツ情報取得ステップと、前記表示対象の映像コンテンツを表示する際、前記コンテンツ情報取得ステップで取得したコンテンツ情報に応じて、前記発光部の輝度を制御する制御ステップとを含むことを特徴とする表示制御方法。
【請求項１０】
請求項９に記載の表示制御方法を、コンピュータに実行させるためのプログラム。
【発明の詳細な説明】
【技術分野】
【０００１】
本発明は、映像表示装置、表示制御方法、及びプログラムに関する。
【背景技術】
【０００２】
液晶表示装置は、バックライトと呼ばれる照明装置を使用している。このバックライトには、バックライト駆動回路に接続されており、商用電源やバッテリ等の電源を基に作成した必要な駆動電力が駆動回路を通じて供給されている。
【０００３】
このような駆動回路は、インバータ回路を備えており、電源から供給される駆動電力をもとに周期１００〜４００Ｈｚ程度のパルス点灯信号を生成し、このパルス信号がハイレベルとなっている期間でインバータ回路を駆動し、周期４０Ｋ〜２００ＫＨｚの高周波電圧を生成する。その後、この高周波電圧をバックライトに印加し駆動するようになっている。
【０００４】
また、携帯型のテレビジョン受信機に代表される携帯型映像表示装置は、携帯使用時にはバッテリ駆動される。液晶表示装置のような非自己発光型の携帯型映像表示装置では、バックライトに消費される電力が最も大きく、バッテリ駆動時間はバックライトの点灯／非点灯やその輝度によって大きく異なる。一般に、バックライトの輝度が高ければ表示画面は見やすくなり、輝度が低くなると見難くなる。バックライトの使用はバッテリ駆動時間に大きく影響するため、従来から、バックライト輝度を制御してバッテリ駆動時間を伸ばすことが行われている。
【０００５】
例えば、特許文献１には、表示部やキー入力部のバックライト部で消費される電力を軽減し使用可能時間を延長するために、バッテリの残量が少なくなるとバックライト部の点灯時間を短くする携帯端末装置が開示されている。
【０００６】
また、特許文献２−４には、ユーザにとって明るく見やすいバックライトを確保しつつ、バッテリ駆動時間を大幅に伸ばすことを目的としたモバイル用途に好適な表示装置が開示されている。
【０００７】
特許文献２に記載の表示装置は、周期性又は規則性がある特定番組を取得し、取得した特定番組に基づいてバックライトの輝度又は液晶パネルの液晶駆動を制御している。より具体的には、この特定番組以外の番組視聴中はバックライト輝度を基準レベルに保つとともに、特定番組視聴時はバックライト輝度、液晶駆動の空間解像度及び／又は時間解像度を下げる制御を行う。
【０００８】
特許文献３に記載の表示装置は、電子番組表（ＥＰＧ）を取得して、取得したＥＰＧから視聴番組の予約を行い、予約状況に基づいてバックライトの輝度又は液晶パネルの液晶駆動を制御している。また、特許文献４に記載の表示装置は、コマーシャルに関する情報（ＣＭ情報）を検出し、検出したＣＭ情報に基づいてバックライトの輝度又は液晶パネルの液晶駆動を制御している。
【特許文献１】特開平７−３２７００４号公報
【特許文献２】特開２００５−２１０７０５号公報
【特許文献３】特開２００５−２１０７０６号公報
【特許文献４】特開２００５−２１０７０７号公報
【発明の開示】
【発明が解決しようとする課題】
【０００９】
しかしながら、特許文献１−４に記載の技術では、バッテリ残容量に応じてや、ユーザによる番組の視聴予約状況やＣＭ情報に対して、バックライトを制御するだけであり、表示対象の映像コンテンツが鮮明さを必要とするか否かに拘わらずバックライトの輝度が制御されてしまう。
【００１０】
従って、例えば、携帯型のテレビジョン受信機において、ユーザが鮮明な映像で視聴したい番組でバックライトが暗くなるといった事態や、ユーザがそれ程鮮明な映像を必要としない番組のバックライトが高輝度となるといった事態が生じる。このような制御は、有効なバックライト使用ではなく、バッテリ消耗につながりバッテリ駆動時間が短くなる。
【００１１】
また、喩えＰＤＰ（Plasma Display Panel）や有機ＥＬ（Electro Luminescence）やＬＥＤ（light emitting diode）表示装置など自己発光型ディスプレイを使用した表示装置に、特許文献１−４に記載の技術を採用した場合も、同様に表示対象の映像コンテンツが鮮明さを必要とするか否かに拘わらず発光部の輝度が制御されてしまう。
【００１２】
このように、従来技術では、鮮明さを必要とする映像コンテンツか否かを自動的に判別を行って、その結果に基づき発光部の輝度制御を行うといった技術は存在せず、特にバッテリ駆動のモバイル用途では不便であった。
【００１３】
本発明は、上述のごとき実情に鑑みてなされたものであり、映像コンテンツに応じてユーザにとって明るく見やすい発光輝度を確保することが可能で且つ消費電力を抑えることが可能な映像表示装置、表示制御方法、及び表示制御用のプログラムの提供を、その目的とする。
【課題を解決するための手段】
【００１４】
上述の課題を解決するために、本発明の第１の技術手段は、発光部を備え、映像コンテンツを表示する映像表示装置において、表示対象の映像コンテンツに関するコンテンツ情報を取得するコンテンツ情報取得手段と、前記表示対象の映像コンテンツを表示する際、前記コンテンツ情報取得手段で取得したコンテンツ情報に応じて、前記発光部の輝度を制御する制御手段を備えることを特徴としたものである。
【００１５】
第２の技術手段は、第１の技術手段において、前記コンテンツ情報は、ジャンル情報及び／又はビットレート情報を含むことを特徴としたものである。
【００１６】
第３の技術手段は、第１又は第２の技術手段において、前記表示対象の映像コンテンツに対し変換テーブルを用いて画像処理を施す画像処理手段を備え、前記制御手段は、前記コンテンツ情報取得手段で取得したコンテンツ情報に応じて、前記画像処理手段において使用する変換テーブルを切り換える手段を有することを特徴としたものである。
【００１７】
第４の技術手段は、第１乃至第３のいずれかの技術手段において、当該映像表示装置は非自己発光型の表示パネルを備え、前記発光部は該表示パネルを照明する照明装置であることを特徴としたものである。
【００１８】
第５の技術手段は、第４の技術手段において、当該映像表示装置は、液晶表示装置であり、前記制御手段は、前記コンテンツ情報取得手段で取得したコンテンツ情報に応じて、液晶パネルの駆動制御を可変制御する手段を有することを特徴としたものである。
【００１９】
第６の技術手段は、第１乃至第５のいずれかの技術手段において、外光の明るさを検出する外光センサを備え、前記制御手段は、前記コンテンツ情報取得手段で取得したコンテンツ情報と前記外光センサで検出された外光の明るさの情報とに応じた制御を行うことを特徴としたものである。
【００２０】
第７の技術手段は、第１乃至第５のいずれかの技術手段において、当該映像表示装置の電源となるバッテリと、該バッテリの残量を検出するバッテリ残量検出手段とを備え、前記制御手段は、前記コンテンツ情報取得手段で取得したコンテンツ情報と前記バッテリ残量検出手段で検出されたバッテリ残量の情報とに応じた制御を行うことを特徴としたものである。
【００２１】
第８の技術手段は、第１乃至第５のいずれかの技術手段において、外光の明るさを検出する外光センサと、当該映像表示装置の電源となるバッテリと、該バッテリの残量を検出するバッテリ残量検出手段とを備え、前記制御手段は、前記コンテンツ情報取得手段で取得したコンテンツ情報と、前記外光センサで検出された外光の明るさの情報と、前記バッテリ残量検出手段で検出されたバッテリ残量の情報とに応じた制御を行うことを特徴としたものである。
【００２２】
第９の技術手段は、発光部を備え映像コンテンツを表示する映像表示装置における表示制御方法において、表示対象の映像コンテンツに関するコンテンツ情報を取得するコンテンツ情報取得ステップと、前記表示対象の映像コンテンツを表示する際、前記コンテンツ情報取得ステップで取得したコンテンツ情報に応じて、前記発光部の輝度を制御する制御ステップとを含むことを特徴としたものである。
【００２３】
第１０の技術手段は、第９の技術手段における表示制御方法を、コンピュータに実行させるためのプログラムである。
【発明の効果】
【００２４】
本発明によれば、映像表示装置において、映像コンテンツに応じてユーザにとって明るく見やすい発光輝度を確保することが可能で且つ消費電力を抑えることが可能となる。
【発明を実施するための最良の形態】
【００２５】
本発明に係る映像表示装置として、非自己発光型である液晶表示装置を挙げて説明するが、照明装置が具備されていないＰＤＰや有機ＥＬやＬＥＤ表示装置等の自己発光型の装置も発光部を備えているため適用できる。自己発光型の装置を採用した場合の構成については補足的に説明する。また、本発明に係る映像表示装置として、テレビジョン受像機を挙げて説明するが、パーソナルコンピュータ（ＰＣ）用のモニタ等の主に静止画像を表示することを目的に販売される他の映像表示装置にも本発明は適用できる。
【００２６】
さらに、本発明に係る映像表示装置として、記録装置付きのテレビジョン受像機を挙げて説明するが、記録装置自体は具備しなくてもよく、チューナ、記録媒体駆動装置で駆動するＣＤ（Compact Disc），ＤＶＤ（Digital Versatile Disc），ＢＤ（Blu-ray Disc）、各種メモリカード等の可搬記録媒体、或いはレコーダ等の外部機器などから、映像コンテンツが取得可能となっていればよい。
【００２７】
図１は、本発明の一実施形態に係る液晶表示装置の構成例を示すブロック図で、図中、１は液晶表示装置である。
【００２８】
液晶表示装置１は、デジタル放送を受信するアンテナ１０及びチューナ１１、放送から番組のコンテンツ情報（番組情報ともいう）とストリームデータとを分離するデマックス１３、デマックス１３から番組情報を取得する番組情報取得部１９、及び、ストリームデータをデコードするデコード部１４を備える。アンテナ１０、チューナ１１、デマックス１３、及び番組情報取得部１９は、上述のコンテンツ情報取得手段の一例である。
【００２９】
この液晶表示装置１において、地上波、ケーブルテレビ（ＣＡＴＶ）、放送衛星（ＢＳ）、通信衛星（ＣＳ）のデジタル放送を受信する場合は、デジタル放送選局するとチューナ１１は受信した放送からトランスポートストリームを生成する。ここで、チューナ１１は、アンテナ１０からの放送信号を受信し、特定の一つ又は複数の番組放送を選択し次処理によって利用可能な放送ストリームとする処理部であり、番組を前処理するデスクランブラ等を含んで構成される。
【００３０】
トランスポートストリームは、番組付帯情報が多重化されて送信されているのが一般的であり、番組情報と映像情報が時分割されたストリームであるので、デマックス１３でデータの分離を行う。分離された映像情報はデコード部１４に送られデコードされ、番組情報は番組情報取得部１９を通してＥＰＧデータの生成がなされるとともに、コンテンツ情報が作成される。
【００３１】
また、液晶表示装置１は、レコーダやビデオカメラ等の外部機器からの映像コンテンツをＩＥＥＥ（Institute of Electrical and Electronics Engineers）１３９４規格等に基づき、トランスポートストリームとして受信する外部入力部（外部入力インターフェース）１２も備え、チューナ１１との間でデマックス１３への入力が切換可能となっている。外部入力部１２としては、ＰＣから映像コンテンツ自体又は再生中の映像コンテンツを受信するインターフェースを具備してもよい。
【００３２】
また、液晶表示装置１は、映像コンテンツが記録されているハードディスクドライブ（ＨＤＤ）２４と、ＨＤＤ２４から映像コンテンツの再生を行うコンテンツ再生部２３とを備える。コンテンツ再生の場合は、ＨＤＤ２４などの記録装置からコンテンツ再生部２３により記録済みのコンテンツが再生され、再生された映像情報はデコード部１４でデコードされる。また、番組情報取得部１９では、再生される映像コンテンツに対応したコンテンツ情報を取得する。
【００３３】
液晶表示装置１は、デコード部１４でデコードされた映像情報を出力するＬＣＤコントローラ１５、変換テーブル１６ａに従って出力された映像情報を処理する画像処理部１６、画像処理部１６で処理された映像情報から液晶を駆動する液晶駆動回路１７、それにより駆動される液晶パネル１８、液晶パネル１８に光を背面から照射するバックライト２２、及び、バックライト２２の輝度制御を行うバックライト制御部２１を備える。
【００３４】
画像処理部１６は、上述した画像処理手段の一例である。また、バックライト２２としては、液晶パネル１８（ディスプレイ）の背面に複数個の蛍光灯（及びＬＥＤ）などからなる多灯式バックライトを採用すればよい。但し、液晶表示装置１に具備される照明装置（照明光源部）としては、液晶パネル１８を用いて表示画面の明るさの制御を行うものであればよく、例えば反射型液晶ディスプレイを用いた場合のフロントライトにも同様に適用できることは言うまでもない。
【００３５】
上述のごとき構成により、デコード部１４でデコードされた映像情報はＬＣＤコントローラ１５によって出力され、画像処理部１６は出力された映像情報を変換テーブル１６ａに従って色空間変換等の画像処理を行う。画像処理部１６で処理された映像情報は、液晶駆動回路１７を通して液晶パネル１８を駆動する。
【００３６】
そして、本発明の主たる特徴として、次の画像表示制御部２０を備える。画像表示制御部２０は、放送を表示する際には、デマックス１３から番組情報取得部１９が取得した番組情報に応じて、バックライト２２の輝度制御をバックライト制御部２１に行わせる。自己発光型の表示パネルを採用した場合には、表示パネル上の発光素子のそれぞれに対し、一律に輝度を制御（例えば輝度を所定値下げるなど）すればよい。
【００３７】
画像表示制御部２０は、このような輝度制御と併せて、取得した番組情報に応じて、画像処理部１６に変換テーブル１６ａを変更（複数の中から選択切換）させる制御を行うことが好ましい。画像表示制御部２０では、バックライト２２の輝度制御を行わずに変換テーブル１６ａを変更させる制御のみを実行してもよい。いずれの場合でも、画像処理部１６は、取得した番組情報に応じた変換テーブル１６ａで映像情報の変換を実行することができる。画像処理部１６で使用する変換テーブル１６ａを切り換えることで、結果的に液晶パネル１８の表示特性を制御することが可能となる。
【００３８】
また、画像処理部１６で施される画像処理の制御のために、変換テーブル１６ａを切り換えることのみを例示したが、液晶高速駆動処理、ＩＰ変換（インターレース走査信号からプログレッシブ操作信号への変換）、及びスケーリング処理等、映像表示装置で実行する各種画像処理用のパラーメータを変更してもよい。
【００３９】
また、画像表示制御部２０は、表示対象の映像コンテンツがＨＤＤ２４内の記録済みのコンテンツである場合には、ＨＤＤ２４内に映像コンテンツ自身に含まれるコンテンツ情報、或いは映像コンテンツに関連づけられて格納されているコンテンツ情報を、コンテンツ再生部２３で取得し、同様の表示特性制御を行う。
【００４０】
このようにして、画像表示制御部２０が、番組情報取得部１９で取得した番組情報を元に、現在表示対象となっている映像情報が映像を鮮明に表示する必要があるものであるか否かの判定を行い、その判定に従ってバックライト制御部２１に輝度の変更通知を行い、バックライト制御部２１がその通知に従って液晶パネル１８に照射するバックライト２２の輝度を制御する。また、画像表示制御部２０での指示に従って、画像処理部１６が、その番組情報に応じた変換テーブル１６ａに基づき、すなわち液晶パネル１８の表示特性が現在表示対象となっている映像情報に合わせた特性となるように、色空間変換・高速動画応答等の画像処理を行う。
【００４１】
また、画像表示制御部２０は、上述の制御手段の一例であり、例えば、ＣＰＵ（Central Processing Unit）等の演算装置、ＲＯＭ（Read Only Memory）やハードディスク等のプログラム格納メモリ、ＲＡＭ（Random Access Memory）等の作業メモリなどでなるハードウェアを備え、ＲＯＭ等に所定の制御プログラムを格納しておくとよい。これにより、ＣＰＵがＲＯＭ等に格納された所定の制御プログラムをＲＡＭ上に読み出して実行し、本発明に係る制御も含めた画像表示制御部２０の機能を実現することができる。
【００４２】
画像表示制御部２０で制御に用いるコンテンツ情報としては、ジャンルの情報及び／又はビットレートの情報であることが好ましい。
【００４３】
ジャンルとは、地上波デジタル放送の規格では、ジャンルコードとして、例えば「ニュース／報道」、「スポーツ」、「情報／ワイドショー」、「ドラマ」、「音楽」、「バラエティ」、「映画」、「アニメ／特撮」、「ドキュメンタリー／教養」、「演劇／公演」、「趣味／教育」、「その他」のジャンルが予め大分類として規定されている。また、大分類ごとに複数の中分類が規定されている。例えば、「スポーツ」の大分類においては、「スポーツニュース」、「野球」、「サッカー」、「ゴルフ」、「その他の球技」、「相撲・格闘技」、「オリンピック・国際大会」、「マラソン・陸上・水泳」、「モータースポーツ」、「マリン・ウィンタースポーツ」、「競馬・公営競技」、「その他」が中分類として規定されている。また、ここでの分類に限らず、別の分類を採用してもよい。
【００４４】
ジャンルに応じた輝度制御としては、例えば、ニュースやバラエティというジャンルは、特に映像の鮮明さを求めないと考えられるので、輝度を下げて表示し、ドキュメンタリや映画といったジャンルは映像の鮮明さが求められるので、基準の輝度で表示する。
【００４５】
ビットレートとは、映像コンテンツがもつ情報量（例えば１秒分の映像や音声が何ビットで表現されているかの値）を指し、ソース側（エンコーダ側）で決定される量である。ビットレートに応じた制御としては、ビットレートの低いものはそもそも元の映像が鮮明でないので鮮明に表示する必要はないので、輝度を下げて表示し、ビットレートの高いものは鮮明である可能性が高いので、基準の輝度で表示する。一般的に綺麗な画質とされるＤＶＤの画質は８〜１０Ｍｂｐｓのビットレートであり、この制御においても、例えばそれ以上のビットレートのものは高ビットレートとして、〜３Ｍｂｐｓ（ＤＶＤレコーダではＥＰやＬＰと称される程度のレート）のもの低ビットレートとして取り扱えばよい。
【００４６】
図２は、図１の液晶表示装置における色空間変換を説明するための図で、図中、水平軸は変換前の映像信号情報で、垂直軸は画像処理を施した後の変換後の映像信号情報を示している。グラフ３０で示す変換テーブルが基準となる変換テーブルであるとして説明する。
【００４７】
ジャンルに応じた変換テーブル１６ａの切り換えは、輝度が基準のままの場合にはグラフ３０で示す変換テーブル１６ａを使用し、輝度を下げた場合に、変換テーブル１６ａをグラフ３０で示すものから例えばグラフ３１で示すものに切り換える。グラフ３１では、変換前の映像信号に対して変換後の映像信号は全体としては明るさを増すようにし、明るいところ（ｂ）及び暗いところ（ａ）は人の目がごまかされることを利用して変化を小さくし、人の目ではっきりとわかる部分の映像信号についてはより色の差を強調するように、変換するものになっている。このような変換を行うことにより、輝度を落としても大きく映像の鮮明さを損なうことなく、表示を行うことができる。また、ビットレートに応じた変換テーブル１６ａの切り換えも、ジャンルのそれと基本的に同様に処理すればよい。
【００４８】
ジャンル又はビットレートのいずれの場合でも、画像表示制御部２０は輝度が下がった場合、下がったことを補正するような色空間の変換テーブル１６ａ（図２のグラフ３１で示す変換テーブル１６ａ）を使用するように、画像処理部１６に通知し、画像処理部１６は指定された変換テーブル１６ａで変換を実行する。なお、ここでは、ジャンルやビットレート等の番組情報に応じた変換テーブル１６ａの切り換えを、輝度制御に連動して行う例のみ示しているが、独立して実行してもよい。
【００４９】
また、ジャンルとビットレートとは好ましくはジャンルを優先にして、画像表示制御部２０での表示特性制御を実行するとよい。例えば、放送などの場合には、ビットレートが固定となるためである。但し、ストリーミングやエンコードしたコンテンツ（ＨＤＤ２４や外部機器でエンコードして記録したコンテンツ）においては、ビットレートの情報もジャンルと同等或いはジャンルより高優先度の情報として、画像表示制御部２０での表示特性制御を実行してもよい。
【００５０】
本発明に係る映像表示装置がここで例示のごとき液晶表示装置１の場合、上述の制御手段は、取得したコンテンツ情報に応じて液晶パネルの駆動制御を可変制御する可変制御手段を有することが好ましい。この可変制御手段では、例えば特許文献２−４に記載のごとき液晶駆動の空間解像度又は時間解像度のいずれか一方を制御すればよい。
【００５１】
図３は、図１の液晶表示装置１における動作例を説明するためのフロー図である。図３で例示する画像表示制御動作は、画像表示制御部２０により実行される。まず、デジタル放送を受信する場合、放送の受信の指示を受けて受信を開始し（ステップＳ１）、放送信号に重畳されている番組付帯情報を取得する（ステップＳ２）。また、コンテンツ再生の場合は、ステップＳ１で記録媒体からのコンテンツの再生指示を受け付けその再生を開始し、ステップＳ２で再生を開始したコンテンツのコンテンツ情報を取得する。
【００５２】
次に、取得したコンテンツ情報からジャンル及びビットレートの情報を取得する（ステップＳ３）。取得したジャンル及びビットレートの情報を元に、バックライト２２の制御を行うか否かの判定を行う（ステップＳ４）。
【００５３】
ステップＳ４の判定の結果、高画質を必要とする場合には、基準の輝度で通常通り表示を行う（ステップＳ５）。一方、ステップＳ４の判定の結果、高画質を必要としない場合には、基準の輝度を必要としない処理を実行する（ステップＳ６）。ステップＳ６では、ジャンル及びビットレートのコンテンツ情報から、バックライト２２の輝度を落とし画像処理部１６の変換テーブル１６ａの変更設定（切り換え）を行って、映像コンテンツの再生を実行する。
【００５４】
以上、本実施形態によれば、コンテンツを再生する段階で自動的に判断することで、ユーザの負担がなく、また、液晶の映像表示のなかでもっとも電力を消費するバックライト２２の制御を行うとともに、画像処理部１６の変換テーブル１６ａを変更し画像処理を行うことで、さほど映像の鮮明さを落とすことなく、大きく消費電力を抑えることができるようになる。このように、本実施形態によれば、映像コンテンツに応じてユーザにとって明るく見やすい発光輝度を確保しつつ、消費電力を抑えバッテリ駆動時間を大幅に伸ばすことが可能となる。換言すると、本実施形態によれば、液晶表示装置１の省電力（省エネルギー）化に伴って、表示特性の改良を行うことが可能となる。
【００５５】
さらには、自己発光型ディスプレイを使用した表示装置においても、ユーザにとって見やすいように発光部の輝度調整や、それに伴う変換テーブルを切り換えた画像処理などを実行すればよく、省エネの観点から好適である。
【００５６】
図４は、本発明の他の実施形態に係る液晶表示装置の構成例を示すブロック図で、図中、２は液晶表示装置であり、図１と同様の構成要素には同符号を付し処理内容が異ならない限り、その説明を省略する。また、図１の液晶表示装置１で説明した各種応用例やその効果についても基本的に同様であり、その説明を省略する。
【００５７】
図４で例示する液晶表示装置２は、図１の液晶表示装置１の構成にさらに、外光の明るさを検出する外光センサ２６と、外光センサ２６で得た外光を閾値処理し外光のレベルを検出する外光検出部２５と備える。
【００５８】
そして、画像表示制御部２０は、番組情報と検出された外光の明るさ情報とに基づき、液晶パネル１８の特性に適したバックライト２２の輝度に制御するようバックライト制御部２１に指示するとともに、画像処理部１６に変換テーブル１６ａの切り換えなどを指示する。これにより、画像表示制御部２０は、取得した番組情報と検出された外光の明るさ情報とに応じた制御（表示特性の制御）を行うことができる。
【００５９】
また、液晶表示装置２は、その電源となるバッテリ２８と、バッテリ２８の残量を検出するバッテリ残量検出部２７とを備える。バッテリ残量検出部２７は、上述のバッテリ残量検出手段の一例である。
【００６０】
そして、画像表示制御部２０は、番組情報と検出されたバッテリ残量情報とに基づき、視聴中の番組又は再生中のコンテンツが最後まで視聴可能なような輝度にバックライト２２を制御する指示を発するとともに、画像処理部１６に変換テーブル１６ａの切り換えなどを指示する。これにより、画像表示制御部２０は、取得した番組情報と検出されたバッテリ残量の情報とに応じた制御（表示特性の制御）を行うことができる。
【００６１】
そして、これらを双方同時に具備した場合には、画像表示制御部２０は、番組情報取得部１９で取得したコンテンツ情報と、外光センサ２６で検出された外光の明るさの情報と、バッテリ残量検出部２７で検出されたバッテリ残量の情報とに応じた制御（表示特性の制御）を行うとよい。但し、外光センサ２６及び外光検出部２５と、バッテリ２８及びバッテリ残量検出部２７とは、双方同時に具備しなくてもよい。
【００６２】
また、このような構成により、放送受信又はコンテンツ再生を開始するときに、ジャンルやビットレートといったコンテンツ情報と、さらに外光の明るさ情報とバッテリ残量情報の少なくともいずれか１つの情報に基づいて、液晶のバックライト２２を適切に制御するとともに、画像処理部１６での変換テーブル１６ａを切り換えてなるべく映像の鮮明さを失わないようにすることもできる。
【００６３】
図５は、図４の液晶表示装置２における動作例を説明するためのフロー図である。図５で例示する画像表示制御動作は、画像表示制御部２０により実行される。まず、ステップＳ１〜Ｓ３で説明したように、コンテンツ再生指示を受け、そのコンテンツ情報を取得してジャンル及びビットレートの情報を取得する（ステップＳ１１〜Ｓ１３）。
【００６４】
ステップＳ１１〜Ｓ１３の前後或いはその処理に並行して、外光検出部２５が外光センサ２６から外光の明るさ情報を取得する（ステップＳ１４）とともに、バッテリ残量検出部２７がバッテリ２８の残量情報を取得する（ステップＳ１５）。
【００６５】
次に、ステップＳ４と同様に、取得したジャンル及びビットレートの情報を元に、バックライト２２の制御を行うか否かの判定を行う（ステップＳ１６）。ステップＳ１６の判定の結果、高画質を必要とする場合には、外光の明るさは適切か否か（所定値以上に明るいか）の判定（ステップＳ１７）、並びにバッテリ残量は十分か否か（所定残量以上残っているか否か）の判定（ステップＳ１８）を行う。ステップＳ１７，Ｓ１８でともにＹＥＳの場合には、基準の輝度で通常通り表示を行う（ステップＳ１９）。
【００６６】
一方、ステップＳ１６の判定の結果、高画質を必要としない場合、並びにステップＳ１７又はステップＳ１８のいずれかでＮＯであった場合には、基準の輝度を必要としない処理を実行する（ステップＳ２０）。
【００６７】
ステップＳ２０では、ジャンル及びビットレートのコンテンツ情報、外光の明るさ情報、及びバッテリ残量情報から、バックライトの輝度を落とし画像処理部１６の変換テーブル１６ａの設定を行って、映像コンテンツの再生を実行する。
【００６８】
以上、図１乃至図５を参照しながら、本発明の映像表示装置について各実施形態を説明してきたが、その処理の流れの一例を説明したように、本発明は映像表示装置における表示制御方法としての形態も採り得る。
【００６９】
また、本発明は、映像表示装置内のコンピュータに組み込む制御プログラムとしての形態も採り得る。この制御プログラムは、コンピュータを上述した映像表示装置に具備の制御手段（及びコンテンツ情報取得手段）等の各手段として機能させるためのプログラムであり、換言すると、上述の表示制御方法をコンピュータに実行させるためのプログラムである。このプログラムは、例えば画像表示制御部２０内の制御プログラム（ファームウェア）として例示したものである。そして、このプログラムは、それを記録したコンピュータ読み取り可能な各種記録媒体としての配布することや、通信ネットワークや放送波経由で配信することができ、映像表示装置に実行可能に組み込むことができる。
【図面の簡単な説明】
【００７０】
【図１】本発明の一実施形態に係る液晶表示装置の構成例を示すブロック図である。
【図２】図１の液晶表示装置における色空間変換を説明するための図である。
【図３】図１の液晶表示装置における動作例を説明するためのフロー図である。
【図４】本発明の他の実施形態に係る液晶表示装置の構成例を示すブロック図である。
【図５】図４の液晶表示装置における動作例を説明するためのフロー図である。
【符号の説明】
【００７１】
１，２…液晶表示装置、１０…アンテナ、１１…チューナ、１２…外部入力部、１３…デマックス、１４…デコード部、１５…ＬＣＤコントローラ、１６…画像処理部、１６ａ…変換テーブル、１７…液晶駆動回路、１８…液晶パネル、１９…番組情報取得部、２０…画像表示制御部、２１…バックライト制御部、２２…バックライト、２３…コンテンツ再生部、２４…ＨＤＤ、２５…外光検出部、２６…外光センサ、２７…バッテリ残量検出部、２８…バッテリ。
【図１】
2008244818.tif 000003
【図２】
2008244818.tif 000004
【図３】
2008244818.tif 000005
【図４】
2008244818.tif 000006
【図５】
2008244818.tif 000007